(57)【要約】【課題】点状光源に起因する輝度むらおよび色むらを低減することの可能な照明装置および表示装置を提供する。【解決手段】点状光源１０の配列方向Ｌ2と平行または略平行な方向に延在する複数の凸部１１Ａが形成されたムラ消しシート１１と、点状光源１０の配列方向Ｌ1と平行または略平行な方向に延在する複数の凸部１２Ａが形成されたムラ消しシート１２とが点状光源１０側から順に重ね合わされている。凸部１２Ａは、凸部１１Ａよりも相対的に集光作用の強い立体構造となっており、垂直入射光に対して戻り光を多く発生させる形状となっている。【選択図】図２
2011175102.tif 000002
【特許請求の範囲】
【請求項１】
第１の方向に配列されるとともに前記第１の方向と交差する第２の方向に配列された複数の点状光源上に重ねて配置される２枚の矩形状の光学シートを備え、
各光学シートは、当該光学シートの長辺方向が前記第１の方向および前記第２の方向のいずれの方向とも垂直以外の角度で交わるように配置されるものであり、
前記２枚の光学シートのうち前記点状光源側に配置される光学シートである第１の光学シートは、前記第１の方向と平行または略平行な方向に延在する複数の第１の立体構造を有し、
前記２枚の光学シートのうち前記点状光源とは反対側に配置される光学シートである第２の光学シートは、前記第２の方向と平行または略平行な方向に延在する複数の第２の立体構造を有し、
前記第２の立体構造は、前記第１の立体構造よりも垂直入射光に対して戻り光を多く発生させる形状となっている
光学シート積層体。
【請求項２】
前記第１の立体構造の延在方向と前記第１の方向との成す角が１０度以下となっており、
前記第２の立体構造の延在方向と前記第２の方向との成す角が１０度以下となっており、
前記第１の立体構造の延在方向と前記第２の立体構造の延在方向との成す角が６０度以上１２０度以下の範囲内となっている
請求項１に記載の光学シート積層体。
【請求項３】
前記第１の立体構造および前記第２の立体構造は以下の式を満たす
請求項１または請求項２に記載の光学シート積層体。
Ｐ3／Ｈ＞１．３
Ｐ4／Ｈ＞１．３
２０％＞Ｔｔ１−Ｔｔ２＞５％
Ｐ3：前記点状光源の前記第１の方向のピッチ
Ｐ4：前記点状光源の前記第２の方向のピッチ
Ｈ：前記点状光源と前記第１の光学シートとの距離
Ｔｔ１：前記第１の光学シートに対して前記点状光源側から光を垂直入射させたときの、前記第１の光学シートの全光線透過率（％）
Ｔｔ２：前記第２の光学シートに対して前記点状光源側から光を垂直入射させたときの、前記第２の光学シートの全光線透過率（％）
【請求項４】
前記第１の立体構造は前記第１の方向と平行な方向に延在する第１の頂部を有すると共に、前記第１の頂部の両側に一対の第１の傾斜面を有し、
前記第２の立体構造は前記第２の方向と平行な方向に延在する第２の頂部を有すると共に、前記第２の頂部の両側に一対の第２の傾斜面を有する
請求項１または請求項２に記載の光学シート積層体。
【請求項５】
前記第１の頂部および前記第２の頂部の表面は、光射出側に突出した凸状の曲面となっており、
前記第１の傾斜面および前記第２の傾斜面の表面は、平面となっている
請求項４に記載の光学シート積層体。
【請求項６】
前記第１の頂部および前記第１の傾斜面に接する接線と前記一の面とのなす角をφ1、前記第２の頂部および前記第２の傾斜面に接する接線と前記一の面とのなす角をφ2とすると、φ1は前記第１の頂部から前記第１の傾斜面に向かうにつれて滑らかに大きくなっており、φ2は前記第２の頂部から前記第２の傾斜面に向かうにつれて滑らかに大きくなっている
請求項５に記載の光学シート積層体。
【請求項７】
前記第１の頂部の高さが前記第２の頂部の高さよりも高くなっている
請求項４に記載の光学シート積層体。
【請求項８】
前記第２の光学シートの上に拡散板を備えた
請求項１または請求項２に記載の光学シート積層体。
【請求項９】
前記第１の立体構造および前記第２の立体構造は以下の式を満たす
請求項８に記載の光学シート積層体。
Ｐ3／Ｈ＞１．３
Ｐ4／Ｈ＞１．３
０．１≦Ｒ2／Ｐ2＜Ｒ1／Ｐ1＜０．４
０．０２＜Ｒ1／Ｐ1−Ｒ2／Ｐ2＜０．１
Ｐ1：前記複数の第１の立体構造の配列方向のピッチ
Ｐ2：前記複数の第２の立体構造の配列方向のピッチ
Ｐ3：前記点状光源の前記第１の方向のピッチ
Ｐ4：前記点状光源の前記第２の方向のピッチ
Ｒ1：前記第１の立体構造の頂部の曲率
Ｒ2：前記第２の立体構造の頂部の曲率
【請求項１０】
前記拡散板の透過率は６０％以上８５％以下である
請求項８に記載の光学シート積層体。
【請求項１１】
前記第１の光学シートまたは前記第２の光学シートは光拡散材を含む
請求項１または請求項２に記載の光学シート積層体。
【請求項１２】
前記第１の光学シートまたは前記第２の光学シートに含まれる光拡散剤の添加量は、厚さ２ｍｍの両面平坦な透明板に同量の光拡散剤を添加した場合に、その光拡散剤を添加した透明板に光を垂直入射させたときの全光線透過率が８１％以上９３％以下となるような範囲内の値となっている
請求項１１に記載の光学シート積層体。
【請求項１３】
前記第１の光学シートおよび前記第２の光学シートのうち前記光拡散材を含む方の光学シートの立体構造は以下の式を満たす
請求項１１に記載の光学シート積層体。
Ｒ／Ｐ＜０．１
Ｐ：前記複数の立体構造の配列方向のピッチ
Ｒ：前記光学シートの立体構造の頂部の曲率
【請求項１４】
前記２枚の光学シートおよび前記拡散板を包み込む可撓性フィルムを備えた
請求項８に記載の光学シート積層体。
【請求項１５】
前記２枚の光学シートが、前記拡散板の周縁部に接合されている
請求項８に記載の光学シート積層体。
【請求項１６】
前記第１の光学シートは、１ｍｍ以上の厚みを有する
請求項１または請求項２に記載の光学シート積層体。
【請求項１７】
前記第２の光学シートは、１ｍｍ以上の厚みを有し、
前記第１の光学シートが、前記第２の光学シートの周縁部に接合されている
請求項１または請求項２に記載の光学シート積層体。
【請求項１８】
前記複数の点状光源と前記２枚の光学シートとの間に透明な支持体を備えた
請求項１または請求項２に記載の光学シート積層体。
【請求項１９】
第１の方向に配列されるとともに前記第１の方向と交差する第２の方向に配列された複数の点状光源と、
前記複数の点状光源上に重ねて配置された２枚の矩形状の光学シートを含む光学シート積層体と
を備え、
各光学シートは、当該光学シートの長辺方向が前記第１の方向および前記第２の方向のいずれの方向とも垂直以外の角度で交わるように配置されるものであり、
前記２枚の光学シートのうち前記点状光源側に配置される光学シートである第１の光学シートは、前記第１の方向と平行または略平行な方向に延在する複数の第１の立体構造を有し、
前記２枚の光学シートのうち前記点状光源とは反対側に配置される光学シートである第２の光学シートは、前記第２の方向と平行または略平行な方向に延在すると複数の第２の立体構造を有し、
前記第２の立体構造は、前記第１の立体構造よりも垂直入射光に対して戻り光を多く発生させる形状となっている
照明装置。
【請求項２０】
画像信号に基づいて駆動される表示パネルと、
前記表示パネルを照明する照明装置と
を備え、
前記照明装置は、
第１の方向に配列されるとともに前記第１の方向と交差する第２の方向に配列された複数の点状光源と、
前記複数の点状光源上に重ねて配置された２枚の矩形状の光学シートを含む光学シート積層体と
を有し、
各光学シートは、当該光学シートの長辺方向が前記第１の方向および前記第２の方向のいずれの方向とも垂直以外の角度で交わるように配置されるものであり、
前記２枚の光学シートのうち前記点状光源側に配置される光学シートである第１の光学シートは、前記第１の方向と平行または略平行な方向に延在する複数の第１の立体構造を有し、
前記２枚の光学シートのうち前記点状光源とは反対側に配置される光学シートである第２の光学シートは、前記第２の方向と平行または略平行な方向に延在すると複数の第２の立体構造を有し、
前記第２の立体構造は、前記第１の立体構造よりも垂直入射光に対して戻り光を多く発生させる形状となっている
表示装置。
【発明の詳細な説明】
【技術分野】
【０００１】
本発明は、例えば透過型の液晶パネルを背後から照明する照明装置などに好適に適用可能な光学シート積層体、ならびにそれを備えた照明装置および表示装置に関する。
【背景技術】
【０００２】
近年、液晶表示装置は、低消費電力、省スペース等の利点や、低価格化等により、従来から表示装置の主流であったブラウン管（ＣＲＴ；Cathode Ray Tube）に置き換わりつつある。
【０００３】
その液晶表示装置においても、例えば画像を表示する際の照明方法で分類するといくつかのタイプが存在し、代表的なものとして、液晶パネルの背後に配置した光源を利用して画像表示を行う透過型の液晶表示装置が挙げられる。
【０００４】
このような表示装置では、色の再現域を広くすることが望まれており、その手法の一つとして、冷陰極管（ＣＣＦＬ；Cold Cathode Fluorescent Lamp）の代わりに、青・緑・赤の三原色の発光ダイオード（ＬＥＤ；Light Emitting Diode）を光源に用いることが提案されている。また、三原色のみならず、色域を広げるために四原色や六原色のＬＥＤを用いることも提案されている。さらに、青の発光ダイオードに蛍光体を付与したものを白色光として光源に用いることが提案されている。具体的には、青の発光ダイオードに黄色の蛍光体を付与したものや、青の発光ダイオードに緑および赤の蛍光体を付与したものが上市されている。以下、本明細書では、このような蛍光体を含んで白色光を射出するＬＥＤを白色ＬＥＤと称するものとする。
【０００５】
光源としてＣＣＦＬやＬＥＤを用いる場合には、面内の輝度分布および色分布を均一化する必要がある。照明装置が比較的小さい場合には、サイドライト型の導光板を用いることもできるが、照明装置が比較的大きく、大きな光量が必要となる場合には、光源を直接並べる直下型が主流である。直下型における輝度むらや色むらを抑制する手法の一つとして、フィラが内添された拡散板を光源上に配置することが提案されている（特許文献１）。他の手法として、例えば、断面形状が一の方向において一様となっている板を用いることが提案されている（特許文献２）。
【０００６】
また、例えば、図１８（Ａ）のようなＬＥＤ１００の他に、図１８（Ｂ）のように、ＬＥＤ１００の上部に透明な特定の樹脂からなるキャップ１１０を設けて配光分布を変化させた広指向角ＬＥＤ２００も提案されている。図１９は、キャップ付の広指向角ＬＥＤ２００およびキャップ無しのＬＥＤ１００の配光分布の一例である。なお、図１９中のＬＥＤ１，ＬＥＤ２がキャップ付の広指向角ＬＥＤ２００の配光分布であり、図１９中のＢＡＲＥがキャップ無しのＬＥＤ１００の配光分布である。図１９から、広指向角ＬＥＤ２００では、正面方向に射出される光量が抑えられ、斜め方向に射出される光量が増大していることがわかる。すなわち、広指向角ＬＥＤ２００は、光強度の極大値が正面方向ではなく、斜め方向にあることを特徴としている。従って、広指向角ＬＥＤ２００を照明装置に適用した場合には、面内の輝度ムラをある程度抑えることができる。なお、広指向角ＬＥＤ２００の配光分布はキャップ１１０の形状や屈折率により変化させることができる。
【先行技術文献】
【特許文献】
【０００７】
【特許文献１】特開昭５４−１５５２４４号公報
【特許文献２】特開２００５−３２６８１９号公報
【発明の概要】
【発明が解決しようとする課題】
【０００８】
ところで、三原色のＬＥＤ、または、白色ＬＥＤを照明装置の光源として用いた場合には、ＣＣＦＬを照明装置の光源として用いた場合と比べて、面内の輝度むらおよび色むらを抑制することが難しい。これは、ＬＥＤが点状光源であるということと、ＣＣＦＬが白色なのに対し、特に三原色のＬＥＤの場合には三色を混合することで白色としなければならないことに起因している。例えば、特許文献１の場合には、特に光源にＬＥＤを用いると、光源から拡散板までの距離を比較的長くする必要があり、照明装置が厚くなってしまうという問題があった。一方、特許文献２の場合には、線光源であるＣＣＦＬにおいては有効であるものの、点状光源であるＬＥＤでは、輝度むらおよび色むらが生じてしまうという問題があった。また、前述の広指向角ＬＥＤ２００を用いる方法においても、ＬＥＤ１００に１つ１つキャップ１１０を付けることによりプロセスが増えてしまうという問題や、キャップ１１０の形状や屈折率を最適化したとしても、光源から拡散板までの距離を短くするのには限界があり、ある程度は照明装置が厚くなってしまうという問題があった。
【０００９】
本発明はかかる問題点に鑑みてなされたもので、その目的は、点状光源に起因する輝度むらおよび色むらを低減することの可能な光学シート積層体、ならびにそれを備えた照明装置および表示装置を提供することにある。
【課題を解決するための手段】
【００１０】
本発明の光学シート積層体は第１の方向に配列されるとともに第１の方向と交差する第２の方向に配列された複数の点状光源上に重ねて配置される２枚の矩形状の光学シートを備えたものである。各光学シートは、当該光学シートの長辺方向が第１の方向および第２の方向のいずれの方向とも垂直以外の角度で交わるように配置されるものである。２枚の光学シートのうち点状光源側に配置される光学シートである第１の光学シートは、第１の方向と平行または略平行な方向に延在する複数の第１の立体構造を有している。一方、２枚の光学シートのうち点状光源とは反対側に配置される光学シートである第２の光学シートは、第２の方向と平行または略平行な方向に延在する複数の第２の立体構造を有している。この第２の立体構造は、第１の立体構造よりも垂直入射光に対して戻り光を多く発生させる形状となっている。
【００１１】
本発明の照明装置は、第１の方向に配列されるとともに第１の方向と交差する第２の方向に配列された複数の点状光源と、複数の点状光源上に重ねて配置された２枚の矩形状の光学シートを含む光学シート積層体とを備えている。ここで、本発明の照明装置に含まれる２枚の光学シートは、上記の光学シート積層体に含まれる２枚の光学シートと同一の構成要素を備えている。
【００１２】
本発明の表示装置は、画像信号に基づいて駆動される表示パネルと、表示パネルを照明する照明装置とを備えたものである。本発明の表示装置に含まれる照明装置は、上記の照明装置と同一の構成要素を備えている。
【００１３】
本発明の光学シート積層体、照明装置および表示装置では、点状光源の一の配列方向と平行または略平行な方向に延在する複数の第１の立体構造が形成された第１の光学シートと、点状光源の他の配列方向と平行または略平行な方向に延在する複数の第２の立体構造が形成された第２の光学シートとが点状光源側から順に重ね合わされる。さらに、第２の立体構造が第１の立体構造よりも垂直入射光に対して戻り光を多く発生させる形状となっている。これにより、第１の立体構造で屈折透過してきた光のうち第２の光学シートに垂直に入射してきた光が第２の立体構造によって反射され点状光源側に向かう戻り光となる割合が大きくなる。
【発明の効果】
【００１４】
本発明の光学シート積層体、照明装置および表示装置によれば、第２の立体構造を第１の立体構造よりも垂直入射光に対して戻り光を多く発生させる形状にしたので、第１の立体構造で屈折透過してきた光のうち、第２の光学シートに垂直に入射してきた光が第２の立体構造によって反射され点状光源側に向かう戻り光となる割合を大きくすることができる。これにより、第１の立体構造で形成された光源分割像が第２の立体構造で消されるので、点状光源に起因する輝度むらおよび色むらを低減することができる。
【図面の簡単な説明】
【００１５】
【図１】本発明の一実施の形態に係る照明装置の構成の一例を表す断面図である。
【図２】図１の照明装置の一例を展開して表す斜視図である。
【図３】図１の照明装置の第１変形例を展開して表す斜視図である。
【図４】図１の照明装置の第２変形例を展開して表す斜視図である。
【図５】図１のムラ消しシートの凸部の断面図である。
【図６】図１の照明装置の第３の変形例を展開して表す斜視図である。
【図７】図１の照明装置の第４の変形例を表す断面図である。
【図８】図１のムラ消しシートの接合について説明するための断面図および斜視図である。
【図９】図１の照明装置の第５変形例を表す断面図である。
【図１０】図１の照明装置の第６変形例を表す断面図である。
【図１１】実施例に係る照明装置の構成と、それに対応する輝度ムラの計測結果および判定結果を表す対応図である。
【図１２】実施例に係る照明装置の構成と、それに対応する輝度ムラの計測結果および判定結果を表す対応図である。
【図１３】実施例に係る照明装置の構成と、それに対応する輝度ムラの計測結果および判定結果を表す対応図である。
【図１４】実施例に係る照明装置の構成と、それに対応する輝度ムラの計測結果および判定結果を表す対応図である。
【図１５】実施例に係る照明装置の構成と、それに対応する輝度ムラの計測結果および判定結果を表す対応図である。
【図１６】実施例に係る照明装置の構成と、それに対応する輝度ムラの計測結果および判定結果を表す対応図である。
【図１７】実施例に係る照明装置の構成と、それに対応する輝度ムラの計測結果および判定結果を表す対応図である。
【図１８】各実施例における点状光源の概略構成の一例を表す断面図である。
【図１９】図１８の各点状光源の配光分布の一例を表す分布図である。
【図２０】各実施例における凸部１１Ａ，１２Ａの断面形状を表す断面図である。
【図２１】各種拡散板と、拡散板ごとの全光線透過率とを表す対応図である。
【図２２】各種フィラの全光線透過率を表す図である。
【図２３】各種拡散板と、拡散板ごとの全光線透過率、輝度および輝度ムラの計測結果ならびに判定結果とを表した対応図である。
【図２４】図１の照明装置の一適用例に係る表示装置の一例を表す断面図である。
【図２５】図２４の表示装置の一変形例を表す断面図である。
【発明を実施するための形態】
【００１６】
以下、本発明の実施の形態について、図面を参照して詳細に説明する。なお、説明は以下の順序で行う。
１．実施の形態
構成
作用・効果
２．変形例
３．実施例
【００１７】
＜実施の形態＞
[構成]
図１は、本発明の一実施の形態に係る照明装置１の断面構成を表したものである。図２は、図１の照明装置１を展開して斜視的に表したものである。
【００１８】
この照明装置１は、一の面１０Ａ内に配置された複数の点状光源１０と、ムラ消しシート１１，１２（光学シート）と、拡散部材１３と、プリズムシート１４と、反射シート１５とを備えたものである。反射シート１５は、点状光源１０の背後に、複数の点状光源１０と対向配置されている。ムラ消しシート１１，１２、拡散部材１３およびプリズムシート１４は、点状光源１０に関して反射シート１５の反対側に、点状光源１０側からこの順に配置されると共に複数の点状光源１０と対向配置されている。なお、以下では、点状光源１０、拡散部材１３、プリズムシート１４および反射シート１５を説明したのち、ムラ消しシート１１，１２について説明する。
【００１９】
（点状光源１０）
各点状光源１０は、例えば、１もしくは複数の単色（同一色）のＬＥＤ、赤（Ｒ）、緑（Ｇ）または青（Ｂ）の光を発する単一のＬＥＤ、または、ＲＧＢの三原色の光を別個に発する複数のＬＥＤにより構成されている。
【００２０】
各点状光源１０は、図２に示したように、矩形状のムラ消しシート１１の長辺１１ｘの方向（長辺方向ＬL）および短辺１１ｙの方向（短辺方向ＬS）のいずれの方向とも垂直以外の角度で交わる方向（配列方向Ｌ1）に配列されている。各点状光源１０は、さらに、図２に示したように、配列方向Ｌ1と交差する方向であって、かつムラ消しシート１１の長辺方向ＬLおよび短辺方向ＬSのいずれの方向とも垂直以外の角度で交わる方向（配列方向Ｌ2）に配列されている。つまり、複数の点状光源１０は、ムラ消しシート１１の長辺方向ＬLをＸ軸とし、ムラ消しシート１１の短辺方向ＬSをＹ軸としたＸＹ座標系において、所定の角度だけ傾いた方向に２次元配列されている。
【００２１】
ここで、点状光源１０の配列方向Ｌ1，Ｌ2とは、ある点状光源１０（以下「点状光源Ａ」と称する）の周囲に配置された複数の他の点状光源１０のうち点状光源Ａに最も近い他の点状光源１０（最も近い他の点状光源１０が複数存在する場合にはそのうちの１つ）と、点状光源Ａとを最短距離で結んだときの線分の方向（便宜的に方向ＬAとする）と、点状光源Ａから見て方向ＬAと交差する方向にある複数の他の点状光源１０のうち点状光源Ａに最も近い他の点状光源１０と、点状光源Ａとを最短距離で結んだときの線分の方向（便宜的に方向ＬBとする）との２方向を指す。従って、上記の方向Ｌ1が、例えば、方向ＬAに対応しており、上記の方向Ｌ2が、例えば、方向ＬBに対応している。
【００２２】
また、点状光源１０の配列方向Ｌ1、Ｌ2は、ムラ消しシート１１，１２の立体構造の延在方向Ｌ3，Ｌ4（後述）に応じて設定される。例えば、図３に示したように、ムラ消しシート１１の稜線方向とムラ消しシート１２の稜線方向とが図２と比べて逆になっている場合は、点状光源１０の配列方向Ｌ1、Ｌ2も、図２と比べて逆に設定される。つまり、本実施の形態では、図２および図３のいずれの場合であっても、配列方向Ｌ1と延方向Ｌ3とが互いに平行または略平行となっており、配列方向Ｌ2と延方向Ｌ4とが互いに平行または略平行となっている。
【００２３】
ところで、上述したように、点状光源１０の配列方向Ｌ1、Ｌ2は、矩形状のムラ消しシート１１の長辺方向ＬLおよび短辺方向ＬSと垂直以外の角度を成す。この角度は点状光源１０の配列のマトリックスにより決められるので、特定の角度に限定されない。輝度ムラの観点からは、点状光源１０がなるべく等方的に配置されたほうが好ましく、配列方向Ｌ1と長辺方向ＬLとのなす角度は、好ましくは３０〜６０度の範囲であり、より好ましくは３６〜５４度であり、さらに好ましくは約４５度である。
【００２４】
これらの点状光源１０の配列は、照明装置１およびそれを搭載した表示装置のサイズにより微妙に異なってくる。また、これらの点状光源１０の配列は、点状光源１０の発光を部分的に制御して表示画面の暗い部分では不要な発光を抑える機能を付与する際の、点状光源１０の回路上のブロック数の決め方によっても異なってくる。
【００２５】
なお、各点状光源１０がＲ、ＧまたはＢの光を発する単一のＬＥＤにより構成されている場合や、ＲＧＢの三原色の光を別個に発する複数のＬＥＤにより構成されている場合には、色ごとに上記のルールに従って配列方向が規定される。ただし、ＬＥＤの配置の仕方によっては、配列の線分がジグザクになることがあるが、その場合には、ジグザクを平均化して、ジグザクの線分を一本の直線に直せばよい。
【００２６】
また、配列方向Ｌ1における複数の点状光源１０のピッチＰ3は、配列方向Ｌ2における複数の点状光源１０のピッチＰ4と等しいことが好ましいが、ピッチＰ4と異なっていてもよい。
【００２７】
ここで、複数の点状光源１０のピッチとは、配列方向Ｌ1または配列方向Ｌ2における点状光源１０同士の間隔（距離）を指す。なお、各点状光源１０がＲ、ＧまたはＢの光を発する単一のＬＥＤにより構成されている場合や、ＲＧＢの三原色の光を別個に発する複数のＬＥＤにより構成されている場合には、色ごとに上記のルールに従ってピッチが規定される。
【００２８】
拡散部材１３は、例えば、比較的厚手の板状の透明樹脂の内部に拡散材（フィラ）を分散して形成された光拡散層を有する厚くて剛性の高い光学シート、または、比較的薄手のフィルム状の透明樹脂上に光拡散材を含む透明樹脂を塗布して形成された薄い光学シートである。拡散部材１３は、各点状光源１０からの光やプリズムシート１４側からの戻り光を拡散する機能を有している。この拡散部材１３は、当該拡散部材１３が剛性の高い光学シートにより構成されている場合には、他の光学シート（例えば、ムラ消しシート１１，１２およびプリズムシート１４）を支持する支持体としても機能する。なお、拡散部材１３は、比較的厚手の板状の透明樹脂の内部に拡散材（フィラ）を分散して形成されたものと、比較的薄手のフィルム状の透明樹脂上に拡散材を含む透明樹脂（バインダ）を塗布して形成されたものとを組み合わせたものであってもよい。
【００２９】
ここで、板状またはフィルム状の透明樹脂には、例えばＰＥＴ、アクリルおよびポリカーボネートなどの光透過性熱可塑性樹脂が用いられる。上記光拡散層は、例えば１ｍｍ以上５ｍｍ以下の厚みを有している。また、上記光拡散材は、例えば０．５μｍ以上１０μｍ以下の平均粒子径を有する粒子からなり、上記光拡散層全体の重量に対して０．１重量部以上１０重量部以下の範囲で透明樹脂中に分散されている。上記光拡散材の種類としては、例えば、有機フィラや無機フィラなどが挙げられるが、上記光拡散材として空洞性粒子を用いてもよい。
【００３０】
なお、光拡散層が１ｍｍより薄くなると、光拡散性が損なわれ、また、拡散部材１３を筐体（図示せず）で支持する際にシート剛性を確保できなくなる虞がある。また、光拡散層が５ｍｍより厚くなると、拡散部材１３が光源からの光によって加熱されたときに、その熱を放散することが困難となり、拡散部材１３が撓む虞がある。光拡散材の平均粒子径が０．５μｍ以上１０μｍ以下の範囲にあり、光拡散材が光拡散層全体の重量に対して０．１重量部以上１０重量部以下の範囲で透明樹脂中に分散されている場合には、光拡散材としての効果が効率よく発現し、ムラ消しシート１１，１２との組合せで効率よく輝度むらを解消することができる。
【００３１】
なお、図示しないが、拡散部材１３とプリズムシート１４との間などに拡散シートが拡散部材１３とは別体で設けられていてもよい。この拡散シートは、例えば、比較的薄手のフィルム状の透明樹脂上に光拡散材を含む透明樹脂を塗布して形成された薄い光学シートである。この拡散シートは、拡散部材１３などを通過した光を拡散する機能を有している。
【００３２】
（プリズムシート１４）
プリズムシート１４は、例えば、図２に示したように、その上面（光射出側の面）に、所定の方向に延在する複数の凸部１４Ａが配列された薄い光学シートである。プリズムシート１４は、底面側から入射した光のうち各凸部１４Ａの配列方向の成分を底面の法線方向に向けて屈折透過させ、指向性を増加させ、正面輝度を向上させるようになっている。なお、図２では、凸部１４Ａが、頂部が尖った三角柱形状となっているが、例えば、頂部が丸まっていてもよいし、蛇行していてもよい。また、図２には、凸部１４Ａが、ムラ消しシート１１，１２の凸部１１Ａ，１２Ａ（後述）の延在方向Ｌ3，Ｌ4と交差する方向に延在している場合が例示されているが、例えば、図示しないが、ムラ消しシート１２の凸部１２Ａの延在方向Ｌ4と平行または略平行な方向に延在していてもよい。
【００３３】
プリズムシート１４の底面側から入射した光のうち各凸部１４Ａの配列方向の成分は凸部１４Ａを透過しにくい。そこで、この特性を活かして輝度ムラを解消するために凸部１４Ａの配列方向を適宜変化させて輝度ムラを緩和させることができる。また、複数枚のプリズムシート１４を使用してもよい。特に２枚のプリズムシート１４を使用する場合は、それぞれのプリズムシート１４の凸部１４Ａの配列方向を互いに直交または略直交させることが、指向性を増加させ、正面輝度を向上させる点で好適である。また、図４に示したように、２枚のプリズムシート１４を、各プリズムシート１４の凸部１４Ａの延在方向と、ムラ消しシート１１，１２の凸部１１Ａ，１２Ａの延在方向とが互いに交差するように配置してもよい。そのようにした場合には、プリズムシート１４において凸部１４Ａの延在方向の光が透過しにくくなり、さらにムラ消しプリズムシート１１，１２の延在方向の光が透過しにくくなるので、輝度ムラを緩和させることができる。
【００３４】
このプリズムシート１４は、例えば、透光性を有する樹脂材料、例えば１または複数種類の熱可塑性樹脂を用いて一体的に形成されていてもよいし、また、透光性の基材、例えば、ＰＥＴ（ポリエチレンテレフタレート）上にエネルギー線（たとえば紫外線）硬化樹脂を転写して形成されていてもよい。
【００３５】
ここで、熱可塑性樹脂としては、光の射出方向を制御するという機能を考慮すると、屈折率１．４以上のものを用いることが好ましい。このような樹脂としては、例えば、ポリカーボネート樹脂、ＰＭＭＡ（ポリメチルメタクリレート樹脂）などのアクリル樹脂、ポリエチレン（ＰＥ）およびポリプロピレン（ＰＰ）などのポリオレフィン系樹脂、ポリエチレンテレフタレートなどのポリエステル樹脂、ＭＳ（メチルメタクリレートとスチレンの共重合体）などの非晶性共重合ポリエステル樹脂、ポリスチレン樹脂、ポリ塩化ビニル樹脂、シクロオレフィン系樹脂、ウレタン系樹脂、天然ゴム系樹脂および人工ゴム系樹脂、およびこれらの複数の組み合わせなどが挙げられる。
【００３６】
反射シート１５は、複数の点状光源１０を含む面１０Ａ（図１参照）から所定の間隙だけ離れた位置に対向配置されており、点状光源１０側に反射面を有している。この反射面は、正反射だけでなく、拡散反射の機能も有していることが好ましい。このような正反射および拡散反射の機能を発現するために、樹脂を白色に着色したものを反射面に用いることが可能であるが、その場合には高い光線反射特性が得られることが好ましい。そのような材料としては、例えば、ポリカーボネート樹脂、ポリブチレンテレフタレート樹脂などが挙げられる。
【００３７】
また、反射シート１５の反射面において、例えば、点状光源１０との対向領域が平坦面となっており、かつ、点状光源１０との非対向領域（点状光源１０と点状光源１０との間の領域との対向領域）の全体または一部がドット状の拡散部材によって構成されていることが好ましい。この場合には、ドット状の拡散部材に光が当たったときに乱反射が起こり易くなり、点状光源１０同士の間に光が射出され易くなるので、輝度ムラを改善することができる。ドット状の拡散部材の材料としては、シリコーン樹脂やシリカ、チタニアなどの透明または白色部材が好ましい。また、この拡散部材の大きさとしては、０．１μｍ〜１００μｍ程度が好ましい。
【００３８】
ムラ消しシート１１は、図２に示したように、その上面（光射出側の面）に、点状光源１０の配列方向Ｌ1と平行または略平行な方向（延在方向Ｌ3）に延在する複数の凸部１１Ａ（第１の立体構造）が配列された薄い光学シートである。一方、ムラ消しシート１２は、図２に示したように、その上面（光射出側の面）に、点状光源１０の一の配列方向Ｌ2と平行または略平行な方向（延在方向Ｌ4）に延在する複数の凸部１２Ａ（第２の立体構造）が配列された薄い光学シートである。つまり、凸部１１Ａの延在方向Ｌ3と、凸部１２Ａの延在方向Ｌ4とは互いに交差している。ムラ消しシート１１，１２は、例えば、プリズムシート１４と共通する材料によって形成されている。なお、ムラ消しシート１２に対して光拡散材が含まれていてもよい。
【００３９】
凸部１１Ａは、凸部１２Ａとの関係で点状光源１０側からの入射光を相対的に通し易い光学特性を発現する立体構造となっている。一方、凸部１２Ａは、凸部１１Ａとの関係で点状光源１０側からの入射光を相対的に通し難い光学特性を発現する立体構造となっている。具体的には、凸部１２Ａは、凸部１１Ａよりも垂直入射光に対して戻り光を多く発生させる形状となっている。
【００４０】
また、点状光源１０の配列方向Ｌ1に対して、ムラ消しシート１１の立体構造の延在方向Ｌ3が平行または略平行となっており、かつ点状光源１０の配列方向Ｌ2に対して、ムラ消しシート１２の立体構造の延在方向Ｌ4が平行または略平行となっている場合に、良好なムラ状態が実現できる。ここで、配列方向Ｌ1と延在方向Ｌ3とのなす角度θ1（図示せず）または配列方向Ｌ2と延在方向Ｌ4とのなす角度θ2（図示せず）は、１０度以下であることが好適である。また、延在方向Ｌ3と延在方向Ｌ4とのなす角度θ3（図示せず）は、６０度以上１２０度以下の範囲内となっていることが好適である。角度θ1が１０度を超えると、配列方向Ｌ1および延在方向Ｌ3の輝度むらが悪化してしまい、角度θ2が１０度を超えると、配列方向Ｌ2および延在方向Ｌ4の輝度むらが悪化してしまう。また、角度θ3が上記の範囲を超えると、延在方向Ｌ3および延在方向Ｌ4が互いに平行に近づくので、ムラ消しシート１１，１２の長辺方向ＬLおよび短辺方向ＬSの輝度むらが悪化してしまう。
【００４１】
ここで、本実施の形態の照明装置１およびそれを搭載した表示装置において、点状光源１０の代わりに線状光源（図示せず）を用いた場合を考えてみる。一般的には、線状光源に対しては、例えば特許文献３のように、ある方向に延在する立体構造をもった光学シート、または、拡散板を、線状光源の長手方向に平行になるように配置するのがよいとされており、このような構造で実際に上市されている。
特許文献３：特開２００６−１４０１２４号公報
【００４２】
これに対して本実施の形態の照明装置１およびそれを搭載した表示装置においては、点状光源１０の配列方向Ｌ1に対して、ムラ消しシート１１の立体構造の延在方向Ｌ3が平行または略平行となっており、かつ点状光源１０の配列方向Ｌ2に対して、ムラ消しシート１２の立体構造の延在方向Ｌ4が平行または略平行となっている場合には、良好なムラ状態が確保される。さらに、延在方向Ｌ3が点状光源１０の配列方向Ｌ1に対してわずかにずれており、かつ延在方向Ｌ4が点状光源１０の配列方向Ｌ2に対してわずかにずれている方が、むしろ良好なムラ状態が実現できる場合がある。
【００４３】
ここで、凸部１２Ａが凸部１１Ａよりも垂直入射光に対して戻り光を多く発生させというのは、おおまかに言うと、光学シート１２に対して点状光源１０側から光を垂直入射させたときの、光学シート１２の全光線透過率（ＪＩＳ  Ｋ  ７３６１）が、光学シート１１に対して点状光源１０側から光を垂直入射させたときの、光学シート１１の全光線透過率よりも小さいことを意味している。これは、数値を示して具体的に言うと、凸部１１Ａ，１２Ａが式（１），（２）を満たした上で、式（３）を満たしていることとほぼ等価である。
【００４４】
Ｐ3／Ｈ＞１．３…（１）
Ｐ4／Ｈ＞１．３…（２）
２０％＞Ｔｔ１−Ｔｔ２＞５％…（３）
【００４５】
Ｐ3は、点状光源１０の配列方向Ｌ1のピッチである。Ｐ4は、点状光源１０の配列方向Ｌ2のピッチである。Ｈは、点状光源１０とムラ消しシート１１との距離である。Ｔｔ１は、ムラ消しシート１１に対して点状光源１０側から光を垂直入射させたときの、ムラ消しシート１１の全光線透過率（％）である。Ｔｔ２は、ムラ消しシート１２に対して点状光源１０側から光を垂直入射させたときの、ムラ消しシート１２の全光線透過率（％）である。
【００４６】
また、ムラ消しシート１１，１２にフィラなどの拡散剤が入っておらず、ムラ消しシート１１，１２の上に拡散板が存在する場合には、下記のように凸部１１Ａ，１２Ａを規定することも出来る。凸部１１Ａ，１２Ａは、式（４）、（５）を満たした上で、式（６），（７）を満たす。
【００４７】
Ｐ3／Ｈ＞１．３…（４）
Ｐ4／Ｈ＞１．３…（５）
０．１≦Ｒ2／Ｐ2＜Ｒ1／Ｐ1＜０．４…（６）
０．０２＜Ｒ1／Ｐ1−Ｒ2／Ｐ2＜０．１…（７）
【００４８】
Ｐ1は、図２に示したように、複数の凸部１１Ａの配列方向のピッチである。Ｐ2は、図２に示したように、複数の凸部１２Ａの配列方向のピッチである。Ｒ1は、図５に示したように、凸部１１Ａの頂部１１Ｒの曲率である。Ｒ2は、図５に示したように、凸部１２Ａの頂部１２Ｒの曲率である。なお、図５は、凸部１１Ａ，１２Ａの断面形状の一例を重ねて表したものである。また、図５中のφ1は、凸部１１Ａに接する接線Ｔ1と、ムラ消しシート１１の裏面と平行な面Ｔ2とのなす角であり、図５中のφ2は、凸部１２Ａに接する接線Ｔ3と、ムラ消しシート１１の裏面と平行な面Ｔ2とのなす角である。
【００４９】
ここで、φ1，φ2が３９°未満の場合には、ムラ消しシート１１，１２の裏面に垂直に入射した光において、凸部１１Ａ，１２Ａの表面を透過する割合が凸部１１Ａ，１２Ａで反射されて戻り光となる割合よりも支配的となっている。また、φ1，φ2が５９°を超える場合には、ムラ消しシート１１，１２の裏面に垂直に入射した光が凸部１１Ａ，１２Ａの一の表面において全反射されるものの、その反射光が凸部１１Ａ，１２Ａの他の表面を透過し、その透過光が再度、凸部１１Ａ，１２Ａに入射することが無い。そのため、この場合にも、ムラ消しシート１１，１２の裏面に垂直に入射した光において、ムラ消しシート１１，１２を透過する割合がムラ消しシート１１，１２で反射されて戻り光となる割合よりも支配的となっている。
【００５０】
また、式（４）、（５）の上限および下限は、以下の式（６）によって求められるムラ率によって規定されたものであり、ムラ率が３％を超えない範囲内となるように規定されている。ムラ率３％というのは、人が表示ムラを視認することができない（または表示ムラが気にならない）上限であり、表示品質における指針の一つとなっている。
ムラ率（％）＝（（最大輝度−最小輝度）／平均輝度）×１００…（６）
【００５１】
また、φ1，φ2は、凸部１１Ａ，１２Ａの頂部から底部に向かうにつれて滑らかに大きくなっていることが好ましい。例えば、凸部１１Ａが、図５に示したように、点状光源１０の配列方向Ｌ1と平行な方向に延在する頂部１１Ｒを有すると共に、その頂部１１Ｒの両側に、頂部１１Ｒと滑らかに連続する傾斜面１１Ｓを有する三角柱状の立体構造を有している場合には、頂部１１Ｒが光射出側に突出した凸形状となっており、傾斜面１１Ｓが平面となっていることが好ましい。また、例えば、凸部１２Ａが、図５に示したように、点状光源１０の配列方向Ｌ2と平行な方向に延在する頂部１２Ｒを有すると共に、その頂部１２Ｒの両側に、頂部１２Ｒと滑らかに連続する傾斜面１２Ｓを有する三角柱状の立体構造を有している場合には、頂部１２Ｒが光射出側に突出した凸形状となっており、傾斜面１２Ｓが平面となっていることが好ましい。
【００５２】
なお、凸部１１Ａ，１２Ａが、図５に示したような立体構造となっている場合に、傾斜面１１Ｓ，１２Ｓの傾斜角が互いに等しくなっているときには、必然的に、頂部１１Ｒの高さが頂部１２Ｒの高さよりも高くなる。
【００５３】
また、凸部１１Ａ，１２Ａは、上で例示した形状に限定されるものではなく、上記の式（１）〜（５）を満たす範囲内で変形可能なものである。
【００５４】
凸部１１Ａのうち、各点状光源１０からムラ消しシート１１に垂直に入射した光が全反射され点状光源１０側に向かう戻り光を発生させる戻り光発生部分ａ１（第１の部分）が、ムラ消しシート１１を面１０Ａの法線方向から見たときに凸部１１Ａに占める割合をＫ１とし、凸部１２Ａのうち、ムラ消しシート１１を透過してきた光のうちムラ消しシート１２に垂直に入射した光が全反射され点状光源１０側に向かう戻り光を発生させる戻り光発生部分ｂ１（第２の部分）が、ムラ消しシート１２を面１０Ａの法線方向から見たときに凸部１２Ａに占める割合をＫ２としたとき、Ｋ２がＫ１よりも大きくなっていることが好ましい。
【００５５】
例えば、凸部１１Ａが、図５に示したような立体構造となっている場合には、図５に示したように、戻り光発生部分ａ１が傾斜面１１Ｓに対応し、凸部１１Ａのうち戻り光発生部分ａ１以外の部分ａ２が頂部１１Ｒに対応する。また、例えば、凸部１２Ａが、図５に示したような立体構造となっている場合には、戻り光発生部分ｂ１が傾斜面１２Ｓに対応し、凸部１２Ａのうち戻り光発生部分ｂ１以外の部分ｂ２が頂部１２Ｒに対応する。なお、傾斜面１１Ｓ，１２Ｓの傾斜角および表面形状、頂部１１Ｒ，１２Ｒの表面形状によっては、上で示したような対応関係が成立するとは限らない。
【００５６】
[作用・効果]
次に、本実施の形態の照明装置１の作用および効果について説明する。
【００５７】
本実施の形態の照明装置１では、各点状光源１０から射出された光は、ムラ消しシート１１，１２によって輝度ムラが低減されたのち、拡散部材１３で拡散され、指向性が緩和されたのち、プリズムシート１４で集光され、正面輝度と指向性の調整がなされる。
【００５８】
ところで、本実施の形態では、点状光源１０の配列方向Ｌ1と平行な方向に延在する複数の凸部１１Ａが形成されたムラ消しシート１１と、点状光源１０の配列方向Ｌ2と平行な方向に延在する複数の凸部１２Ａが形成されたムラ消しシート１２とが点状光源１０側から順に重ね合わされている。これにより、複数の点状光源１０から発せられた光のうち、点状光源１０の配列方向Ｌ1と平行な方向の輝度むらをムラ消しシート１１によって緩和することができ、点状光源１０の配列方向Ｌ2と平行な方向の輝度むらをムラ消しシート１２によって緩和することができる。
【００５９】
ここで、ムラ消しシート１１の裏面に入射する光はほぼ直線的な光であり、ムラ消しシート１２に入射する光はムラ消しシート１１で屈折・散乱された拡散光である。配列方向Ｌ1および延在方向Ｌ3と平行な方向の戻り光の量と、配列方向Ｌ2および延在方向Ｌ4と平行な方向の戻り光の量とを均等にするためには、ムラ消しシート１２における、戻り光を発生させる能力の方がムラ消しシート１１における、戻り光を発生させる能力よりも高いことが要求される。そのため、双方の能力が同じ場合（典型的には、ムラ消しシート１１の凸部１１Ａの形状および材料と、ムラ消しシート１２の凸部１２Ａの形状および材料が同一の場合）には、直線入射光の多いムラ消しシート１１の方が直線入射光の少ないムラ消しシート１２よりも、ムラ消し効果が高くなる。また、ムラ消しシート１２の戻り光を発生させる能力がムラ消しシート１１の戻りを発生させる能力よりも低い場合にも、直線入射光の多いムラ消しシート１１の方が直線入射光の少ないムラ消しシート１２よりも、ムラ消し効果が高くなる。その結果、配列方向Ｌ1および延在方向Ｌ3だけムラが消えて配列方向Ｌ2および延在方向Ｌ4のムラは消えないという現象や、配列方向Ｌ1および延在方向Ｌ3だけ異常に点状光源１０上が暗くなってしまうという現象が発生する。
【００６０】
一方、本実施の形態では、ムラ消しシート１２の凸部１２Ａがムラ消しシート１１の凸部１１Ａよりも相対的に集光作用の強い（つまり、式（１）〜（５）を満たす）立体構造となっており、垂直入射光に対して戻り光を多く発生させる形状となっている。これにより、ムラ消しシート１１のムラ消し効果と、ムラ消しシート１２のムラ消し効果とをほぼ等しくすることができるので、配列方向Ｌ1および延在方向Ｌ3だけムラが消えて配列方向Ｌ2および延在方向Ｌ4のムラは消えないという現象や、配列方向Ｌ1および延在方向Ｌ3だけ異常に点状光源１０上が暗くなってしまうという現象をなくすることができ、点状光源１０に起因する輝度むらおよび色むらを低減することができる。
【００６１】
また、本実施の形態では、点状光源１０の配列方向Ｌ1に対して、ムラ消しシート１１の立体構造の延在方向Ｌ3が平行または略平行となっており、かつ点状光源１０の配列方向Ｌ2に対して、ムラ消しシート１２の立体構造の延在方向Ｌ4が平行または略平行となっている場合には、良好なムラ状態が実現できる。ここで、配列方向Ｌ1と延在方向Ｌ3とのなす角度θ1または配列方向Ｌ2と延在方向Ｌ4とのなす角度θ2は、１０度以下であることが好適である。また、延在方向Ｌ3と延在方向Ｌ4とのなす角度θ3は、６０度以上１２０度以下の範囲内であることが好適である。角度θ1が１０度を超えると、配列方向Ｌ1および延在方向Ｌ3の輝度むらが悪化してしまい、角度θ2が１０度を超えると、配列方向Ｌ2および延在方向Ｌ4の輝度むらが悪化してしまう。また、角度θ3が上記の範囲を超えると、延在方向Ｌ3および延在方向Ｌ4が互いに平行に近づくので、ムラ消しシート１１，１２の長辺方向ＬLおよび短辺方向ＬSの輝度むらが悪化してしまう。
【００６２】
また、本実施の形態において、ムラ消しシート１１およびムラ消しシート１２のうち少なくとも一方に対して光拡散剤が含まれている場合には、光拡散剤の散乱効果によって、点状光源１０に起因する輝度むらおよび色むらを低減することができる。ただし、光拡散剤の添加量は微量であることが好ましく、例えば、厚さ２ｍｍの両面平坦な透明板に光拡散剤を含ませた場合に、その光拡散剤を添加した透明板に光を垂直入射させたときの全光線透過率が８１％以上９３％以下となるような範囲内の値であることが好ましい。ここで、上限値は透明板における全光線透過率の限界値であり、下限値は透明板の表面に立体形状が設けられている場合に、光拡散剤の添加によって戻り光発生効果が大きく阻害されない程度の量として規定した値である。
【００６３】
ところで、一般に、面内の輝度むらが発生するのは、Ｐ3／ＨまたはＰ4／Ｈを大きくしたときである。Ｐ3／ＨまたはＰ4／Ｈが大きくなるケースは二つあり、一つは点状光源１０とムラ消しシート１１との距離Ｈを狭くして薄型化したときであり、もう一つは点状光源１０の数を減らして（点状光源１０のピッチＰ3，Ｐ4を減らして）省灯化したときである。本実施の形態の表示装置は、いずれのケースにも適している。
【００６４】
＜変形例＞
上記実施の形態では、２枚のムラ消しシート１１，１２が用いられていたが、３枚以上のムラ消しシートが用いられていてもよい。３枚以上のムラ消しシートを用いると、点状光源１０の光をより制御しやすくなり、輝度ムラの点では好適である。ただし、３枚以上のムラ消しシートを用いた場合には、点状光源１０からより遠い位置に配置された光学シートの方が、点状光源１０により近い位置に配置された光学シートよりも、戻り光が多いほうがよい。また、３枚以上のムラ消しシートを用いた場合に、そのうちの少なくとも１枚のムラ消しシートの立体構造の延在方向が、点状光源１０の配列方向Ｌ1と平行または略平行な方向に延在し、さらに、残りのムラ消しシートのうちの少なくとも１枚のムラ消しシートの立体構造の延在方向が、点状光源１０の配列方向Ｌ2と平行または略平行な方向に延在していることが好ましい。その場合には、配列方向Ｌ1および配列方向Ｌ2の輝度むらが改善される。
【００６５】
また、上記変形例において、３枚以上のムラ消しシートのうち一のムラ消しシートが、ムラ消しシート１１，１２の長辺方向ＬLまたは短辺方向ＬSと平行または略平行な方向に延在する立体構造を有していることが好ましい。その場合には、その方向のムラが改善される。また、例えば、図６に示したように、ムラ消しシート１２と拡散部材１３との間に、ムラ消しシート１１の短辺方向ＬSに延在する複数の立体構造（凸部１６Ａ）を備えたムラ消しシート１６と、ムラ消しシート１１の長辺方向ＬLに延在する複数の立体構造（凸部１７Ａ）を備えたムラ消しシート１７とを設けることができる。
【００６６】
また、上記実施の形態では、点状光源１０上に配置された各種光学シート（例えば、ムラ消しシート１１，１２、拡散部材１３、プリズムシート１４）は、それぞれ構造的に独立していたが、拡散部材１３を比較的厚手の拡散板とし、拡散部材１３を支持体として用いた場合には、例えば、図７に示したように、各種光学素子を可撓性フィルム１８で覆うことが可能である。このようにした場合には、点状光源１０上の各種光学シートが温度変化に応じて伸縮する量が互いに異なるときであっても、それぞれの光学シートにしわを発生させることなく、各種光学シートを照明装置１の筐体（図示せず）に保持させることができる。ここで、図７に示したように、拡散部材１３の裏面（点状光源１０側の面）と可撓性フィルム１８との間にムラ消しシート１１，１２を配置した場合には、反りやたわみを防止するためにムラ消しシート１１，１２の剛性を強くする必要がないので、ムラ消しシート１１，１２を拡散部材１３の上面に設けた場合と同程度にムラ消しシート１１，１２を薄くすることができる。これにより、ムラ消しシート１１，１２を拡散部材１３の直下に設けた場合であっても、照明装置１を薄型化することが可能となる。
【００６７】
また、図８（Ａ），（Ｂ）に示したように、ムラ消しシート１１，１２と拡散部材１３とを、拡散部材１３の周縁部とムラ消しシート１１，１２の周縁部とを接合部１９で互いに接合することにより、構造的に一体化させてもよい。このように、ムラ消しシート１１，１２と拡散部材１３とを接合部１９で互いに接合した場合には、上記の可撓性フィルム１８が不要になる。また、周縁部を接合することにより、表示画面内に接合部１９が見える虞がない。
【００６８】
拡散部材１３の周縁部とムラ消しシート１１，１２の周縁部とを接合する方法として、熱溶着や超音波溶着を用いることが好ましい。その場合には、中間部剤を使わずに生産性よく、これらを一体化することができる。特に、ムラ消しシート１１，１２および拡散部材１３が、熱可塑性の樹脂（例えば、ポリカーボネート、ポリエチレンテレフタレート、ポリエチレンナフタレート）によって構成されている場合には、溶着により接合強度を強くすることができる。
【００６９】
特に、ムラ消しシート１１，１２に張力を与えながら、これらを一体化することが好ましい。ムラ消しシート１１，１２を、シワや弛みがない状態で拡散部材１３と一体化するためには、ムラ消しシート１１，１２にある程度の厚みと剛性が必要である。しかし、ムラ消しシート１１，１２を厚くすることは照明装置１の薄型化、低コスト化に反する。そこで、ムラ消しシート１１，１２に張力を付与しながら、ムラ消しシート１１，１２と拡散部材１３と一体化させることで、シワや弛みなく薄いムラ消しシート１１および１２を一体化させることができる。
【００７０】
同様に、プリズムシート１４および拡散部材１３を、拡散部材１３の周縁部とプリズムシート１４の周縁部とを接合部（図示せず）で互いに接合することにより、一体化させてもよい。この場合には、プリズムシート１４を薄肉化してもシワや弛みが生じにくくなる。また、拡散部材１３に対して、点状光源１０側にムラ消しシート１１，１２を、点状光源１０と反対側にプリズムシート１４を、同等の張力や応力をかけて接合することにより、ムラ消しシート１１，１２、拡散部材１３およびプリズムシート１４を一体化してもよい。この場合には、拡散部材１３が反りにくいという点でも好適である。このとき、上記と同様に、拡散部材１３およびムラ消しシート１１，１２を、拡散部材１３の周縁部とムラ消しシート１１，１２の周縁部とを接合部（図示せず）で互いに接合することにより、一体化してもよい。さらに、拡散部材１３およびプリズムシート１４を、拡散部材１３の周縁部とプリズムシート１４の周縁部とを接合部（図示せず）で互いに接合することにより、一体化してもよい。これにより、上記と同様に、ムラ消しシート１１，１２およびプリズムシート１４の反りやたわみを防止するためにこれらの剛性を強くする必要がないので、これらを薄くすることができる。従って、ムラ消しシート１１，１２を拡散部材１３の直下に設けた場合であっても、照明装置１を薄型化することが可能である。
【００７１】
また、例えば、図９（Ａ）に示したように、ムラ消しシート１１を厚くして、ムラ消しシート１１に剛性を持たせることによりムラ消しシート１１を支持体として用いてもよい。また、図９（Ｂ）に示したように、ムラ消しシート１２を厚くして、ムラ消しシート１２に剛性を持たせることによりムラ消しシート１２を支持体として用いてもよい。このとき、図９（Ｃ）に示したように、ムラ消しシート１１，１２を、ムラ消しシート１１の周縁部とムラ消しシート１２と周縁部とを接合部２１で互いに接合することにより、一体化することも可能である。
【００７２】
図９（Ａ）〜図９（Ｃ）のように、ムラ消しシート１１またはムラ消しシート１２を支持体として用いる場合には、支持体としての剛性の観点から、これらの厚さは１ｍｍ以上あることが好ましい。ムラ消しシート１１またはムラ消しシート１２を支持体として用いることで、もう一方のムラ消しシートの剛性を強くする必要が無く、照明装置１を薄型化することができる。
【００７３】
なお、図９（Ａ）〜図９（Ｃ）に示したムラ消しシート１１またはムラ消しシート１２を支持体として用いる場合には、拡散部材１３は支持体として機能する拡散板である必要はなく、薄い拡散シートであってもよい。また、拡散部材１３が薄い拡散シートとなっている場合には、ムラ消しシート１１またはムラ消しシート１２にフィラを含有させ拡散性を強めることが好ましい。
【００７４】
また、例えば、図１０に示したように、ムラ消しシート１１，１２と点状光源１０との間に、支持体２２を配置してもよい。これにより、ムラ消しシート１１，１２の剛性を強める必要がなくなり、ムラ消しシート１１，１２を薄くすることが可能である。
【００７５】
支持体２２は、例えば、透明なプラスチック材料によって構成されている。支持体２２は、例えば、点状光源１０の配置、配光分布、点状光源１０から支持体２２までの高さに応じて、微量の光拡散剤を含有していることが好ましい。そのようにした場合には、点状光源１０に起因する輝度ムラおよび色ムラを低減させることができる。ただし、光拡散剤の添加量は微量であることが好ましく、例えば、厚さ２ｍｍの両面平坦な透明板に光拡散剤を含ませた場合に、その光拡散剤を添加した透明板に光を垂直入射させたときの全光線透過率が８１％以上９３％以下となるような範囲内の値であることが好ましい。上限の９３％は、透明板の透過率限界値であり、下限の８１％は、拡散剤添加による戻り光発生効果が大きく阻害されない範囲の下限値である。
【００７６】
支持体２２の材料としては、剛性が強い透明性樹脂であればなんでも適応可能であり、例えば、ポリメチルメタクリレート、シクロオレフィンポリマー、ゼオノア（日本ゼオンの登録商標）、ポリカーボネート、ポリスチレン、ポリエチレンテレフタレート、などが好適である。支持体２２の材料として、特に、透明性の高いポリメチルメタクリレート、シクロオレフィンポリマー、ゼオノア、などが輝度の点から好適である。支持体２２の厚みとしては、剛性の観点から１ｍｍ以上が好ましい。
【００７７】
なお、図１０の場合も同様にして、拡散部材１３は支持体として機能する拡散板である必要はなく、薄い拡散シートであってもよい。また、拡散部材１３が薄い拡散シートとなっている場合には、ムラ消しシート１１、または、ムラ消しシート１２にフィラを含有させ拡散性を強めることが好ましい。
【００７８】
＜実施例＞
次に、上記実施の形態の照明装置１の実施例について説明する。
【００７９】
図１１〜図１７は、照明装置１におけるムラ消しシート１１，１２の構成と、点状光源１０とムラ消しシート１１との距離Ｈとの組み合わせを変えることにより得られたサンプル１〜６８の輝度ムラの計測結果および判定を表すものである。
【００８０】
サンプル１〜６８は、点状光源１０上に、ムラ消しシート１１、ムラ消しシート１２、拡散部材１３、プリズムシート１４および反射型偏光分離素子（図示せず）を点状光源１０側から順に配置すると共に、点状光源１０の背面に反射シート１５を配置することにより作製されたものである。
【００８１】
ここで、サンプル１〜１２，４２〜４７，５１〜５６，６０〜６５において、点状光源１０として、キャップなどの加工がされていない白色ＬＥＤ（図１８（Ａ））を用い、ピッチＰ3，Ｐ4を３０ｍｍとした。この白色ＬＥＤは、図１９において”ＢＡＲＥ”と示した配光分布を持っている。サンプル１３〜２４において、点状光源１０としてＲＧＢの三原色の光を別個に発するＬＥＤを用い、ピッチＰ3，Ｐ4を４０ｍｍとした。サンプル１〜２４において、ムラ消しシート１１，１２のいずれに対してもフィラを添加せず、拡散部材１３として全光線透過率８０％程度の拡散板を使用した。サンプル２５〜３４において、点状光源１０としてＲＧＢの三原色の光を別個に発するＬＥＤを用い、ピッチＰ3，Ｐ4を４０ｍｍとした。サンプル２５〜３４において、ムラ消しシート１２に対してフィラを添加し、拡散部材１３として拡散シートを使用した。
【００８２】
サンプル３５〜４１，４８〜５０，５７〜５９，６６〜６８において、点状光源１０として白色ＬＥＤにキャップを施した広指向角ＬＥＤ（図１８（Ｂ））を用いた。サンプル３５〜３８，４８，４９，５７，５８，６６，６７においては、広指向角ＬＥＤとして、図１９の”ＬＥＤ１”と示した配光分布をもつものを用い、Ｐ3，Ｐ4を２６ｍｍとした。サンプル３９〜４１、５０、５９、６８においては、広指向角ＬＥＤとして、図１９の”ＬＥＤ２”と示した配光分布をもつものを用い、ピッチＰ3，Ｐ4を２６ｍｍとした。
【００８３】
サンプル１〜４１においては、点状光源１０の配列方向Ｌ1、Ｌ2とムラ消しシート１１，１２の立体構造の延在方向Ｌ3，Ｌ4との成す角度を４５度とし、また、ムラ消しシート１１，１２の立体構造の延在方向Ｌ3，Ｌ4とムラ消しシート１１の長辺方向ＬLとのなす角度を４５度とした。以降の説明では、配列方向Ｌ1、Ｌ2および延在方向Ｌ3，Ｌ4とムラ消しシート１１の長辺方向ＬLとのなす角度のうち、絶対値の小さいほうを明記する。また、ムラ消しシート１１の長辺ＬXから見て、時計回りの方向になす角度を＋、反時計回り方向になす角度を−と表記する。すなわち、ムラ消しシート１１の長辺ＬXと配列方向Ｌ1および延在方向Ｌ3とのなす角度は＋４５度だが、ムラ消しシート１１の長辺ＬXと配列方向Ｌ2および延在方向Ｌ4とのなす角度は−４５度と表記する。この表記によれば、サンプル１〜４１においては配列方向Ｌ1：＋４５度、配列方向Ｌ2：−４５度、延在方向Ｌ3：＋４５度、延在方向Ｌ4：−４５度となる。
【００８４】
また、サンプル１〜４１において、ムラが良好で単一の白色ＬＥＤを用いたサンプル１，２，５，７，９，１１，３５，３６，３９の構成を用いて、ＬＥＤの配列方向Ｌ1，Ｌ2、および、ムラ消しシート１１，１２の立体構造の延在方向Ｌ3、Ｌ4を変化させたサンプル４２〜６８を図１５、図１６、図１７に示す。サンプル４２〜５０においては、配列方向Ｌ1：＋４５度、配列方向Ｌ2：−４５度として、延在方向Ｌ3と延在方向Ｌ4の角度を変化させた結果を図１５に示した。また、サンプル５１〜５９においては、配列方向Ｌ1：＋５２．５度、配列方向Ｌ2：−５２．５度としたときに延在方向Ｌ3と延在方向Ｌ4の角度を変化させた結果を図１６に示した。また、サンプル６０〜６８においては、配列方向Ｌ1：＋６０度、配列方向Ｌ2：−６０度としたときに延在方向Ｌ3と延在方向Ｌ4の角度を変化させた結果を図１７に示した。
【００８５】
図１５、図１６、図１７において、ムラ率が３％未満のものを○と表記し、ムラ率が３％以上のものを×と表記した。また、ムラ率が２．５％未満のものは◎と表記しており、相対的に○よりもムラ状態が良好なことを示している。
【００８６】
サンプル１〜３４において、ムラ消しシート１１，１２の凸部１１Ａ，１２Ａとして図２０、図２１に示したような断面形状と光学特性とを有するものを選択し、拡散部材１３として、透過率８０％程度のものを用いた。また、サンプル２４〜３４において、ムラ消しシート１２に添加するフィラとして図２２に示したようなものを選択した。
【００８７】
図１１から、ムラ消しシート１１、１２および拡散板を用いた場合において、Ｐ3／Ｈ＞１．３、Ｐ4／Ｈ＞１．３となっているとき、Ｔｔ１−Ｔｔ２が２０＞Ｔｔ１−Ｔｔ２＞５となっているサンプル５、７、９、１１では、ムラが見えなかった。Ｐ3／Ｈ＜１．３、Ｐ4／Ｈ＜１．３となっているときは、ムラ消しシート１１，１２の形状を変えなくてもムラが見えなかった。また、ムラが見えなかったサンプル５、７、９、１１では、Ｒ2／Ｐ2と、Ｐ1／Ｐ1は、０．１≦Ｒ2／Ｐ2＜Ｐ1／Ｐ1＜０．４と、０．０２＜Ｒ1／Ｐ1−Ｒ2／Ｐ2＜０．１を満たしていた。
【００８８】
図１２からは、図１１と同様、光源として３色ＬＥＤを用いた場合においても上記が成立した。ムラが見えなかったサンプル１７、１９、２１、２３は、以下の関係式群ＡまたはＢを満たしていた。
【００８９】
（関係式群Ａ）
Ｐ3／Ｈ＞１．３
Ｐ4／Ｈ＞１．３
２０％＞Ｔｔ１−Ｔｔ２＞５％
【００９０】
（関係式群Ｂ）
Ｐ3／Ｈ＞１．３
Ｐ4／Ｈ＞１．３
０．１≦Ｒ2／Ｐ2＜Ｒ1／Ｐ1＜０．４
０．０２＜Ｒ1／Ｐ1−Ｒ2／Ｐ2＜０．１
【００９１】
図１３からは、ムラが見えなかったサンプル３０〜３３は、ムラ消しシート１１と、フィラ入りのムラ消しシート１２と、拡散シートとを用いた場合において、Ｐ3／Ｈ＞１．３、Ｐ4／Ｈ＞１．３となっているとき、Ｔｔ１−Ｔｔ２が２０＞Ｔｔ１−Ｔｔ２＞５となっていた。同様に、Ｒ2／Ｐ2は、Ｒ2／Ｐ2＜０．１となっていた。また、ムラ消しシート１２に添加する適当なフィラの量はＣ，Ｄ，Ｅ，Ｆであり、厚さ２ｍｍの両面平坦な透明板に同量の光拡散剤を含ませた場合に、その光拡散剤を添加した透明板に光を垂直入射させたときの全光線透過率Ｔｔ’が８１％以上９３％以下となるような範囲内の値となっていた。
【００９２】
図１４からは、図１１、図１２と同様、光源としてキャップ付広指向角ＬＥＤを用いた場合においてもムラが見えなかったサンプル３５、３６、３９は、以下の関係式群ＡまたはＢを満たしていた。
【００９３】
（関係式群Ａ）
Ｐ3／Ｈ＞１．３
Ｐ4／Ｈ＞１．３
２０％＞Ｔｔ１−Ｔｔ２＞５％
【００９４】
（関係式群Ｂ）
Ｐ3／Ｈ＞１．３
Ｐ4／Ｈ＞１．３
０．１≦Ｒ2／Ｐ2＜Ｒ1／Ｐ1＜０．４
０．０２＜Ｒ1／Ｐ1−Ｒ2／Ｐ2＜０．１
【００９５】
図１５からは、点状光源１０の配列方向Ｌ1，Ｌ2とムラ消しシート１１，１２の立体構造の延在方向Ｌ3、Ｌ4がほぼ平行でなければならないことがわかった。図１５において、ムラ消しシート１１の長手方向Ｌxに対して、点状光源１０の配列方向Ｌ1，Ｌ2は±４５度の角度を成している。
【００９６】
このとき、ムラ消しシート１１，１２の立体構造の延在方向Ｌ3，Ｌ4と、ムラ消しシート１１の長手方向Ｌxとのなす角度が±５５度までは、すなわち、延在方向Ｌ3，Ｌ4と配列方向Ｌ1，Ｌ2との成す角度が１０度以下である場合には、ムラ状態が良好である。しかし、延在方向Ｌ3，Ｌ4とムラ消しシート１１の長手方向Ｌxとの成す角が±５７．５度（すなわち、延在方向Ｌ3，Ｌ4と配列方向Ｌ1，Ｌ2との成す角度が１２．５度）になると、サンプル４２、４３、４５においてムラが視認できる範囲まで悪化した。
【００９７】
同様に、延在方向Ｌ3，Ｌ4とムラ消しシート１１の長手方向Ｌxとの成す角が±３５度（すなわち、延在方向Ｌ3，Ｌ4と配列方向Ｌ1，Ｌ2との成す角度が１０度）となっている場合には、ムラ状態は良好である。しかし、延在方向Ｌ3，Ｌ4とムラ消しシート１１の長手方向Ｌxとの成す角が±３０度（すなわち、延在方向Ｌ3，Ｌ4と配列方向Ｌ1，Ｌ2との成す角度が１５度）になると、サンプル４５、４６においてムラ状態が視認できる範囲まで悪化した。前述のように延在方向Ｌ3，Ｌ4と配列方向Ｌ1，Ｌ2との成す角度が大きくなると、点状光源の配列方向Ｌ1，Ｌ2のムラを改善する効果が小さくなり、ムラが悪化してしまう。
【００９８】
ここで、延在方向Ｌ3，Ｌ4とムラ消しシート１１の長手方向Ｌxとの成す角の絶対値は対称である必要はなく、例えば、延在方向Ｌ3：＋４０度、延在方向Ｌ4：−５０度であってもよい。また、特に図示しないが、配列方向Ｌ1と延在方向Ｌ3との成す角、かつ、配列方向Ｌ2と延在方向Ｌ4との成す角が１０度以下であり、かつ、延在方向Ｌ3と延在方向Ｌ4とのなす角度が６０以上１２０度以下の範囲内であれば、その組み合わせはどのようにあっても良好なムラ状態を得ることができる。
【００９９】
また、図１５から  ワイド配光においては、延在方向Ｌ3，Ｌ4とムラ消しシート１１の長手方向Ｌxとの成す角にかかわらず、ムラが良好な状態であった。ワイド配光においてはＬＥＤから鉛直方向に射出する光よりも斜め方向に射出する光の方が、光強度が大きい。このため、ムラ消しシート１１，１２からの反射光分布の、ムラ消しシート１１，１２の延在方向Ｌ3，Ｌ4に対する依存性が、通常配光に比べて相対的に小さい。このため、配列方向Ｌ1，Ｌ2と延在方向Ｌ3，Ｌ4との成す角度は通常配光に比べて広い範囲で設定することができる。
【０１００】
ただし、例えば、サンプル４８において、延在方向Ｌ3，Ｌ4とムラ消しシート１１の長手方向Ｌxとの成す角が±１５度（すなわち、延在方向Ｌ3，Ｌ4と配列方向Ｌ1，Ｌ2との成す角度が３０度）であるときと、±４５度（すなわち、延在方向Ｌ3，Ｌ4と配列方向Ｌ1，Ｌ2との成す角度が０度）であるときとを比べると、配列方向Ｌ1，Ｌ2と延在方向Ｌ3，Ｌ4との成す角度が小さいほうが相対的にムラ状態は良好である。
【０１０１】
同様に、例えば、サンプル４９において、延在方向Ｌ3，Ｌ4とムラ消しシート１１の長手方向Ｌxとの成す角が±７５度（すなわち、延在方向Ｌ3，Ｌ4と配列方向Ｌ1，Ｌ2との成す角度が３０度）であるときと、±４５度（すなわち、延在方向Ｌ3，Ｌ4と配列方向Ｌ1，Ｌ2との成す角度が０度）であるときとを比べると、配列方向Ｌ1，Ｌ2と延在方向Ｌ3，Ｌ4との成す角度が小さいほうが相対的にムラ状態は良好である。以上のことからワイド配光においても、点状光源１０の配列方向Ｌ1，Ｌ2とムラ消しシート１１，１２の立体構造の延在方向Ｌ3，Ｌ4はほぼ平行であることが好ましい。
【０１０２】
また、サンプル３７、３８、４０、４１ではムラ状態が視認できる程度に悪いことからワイド配光においてもムラ消しシート１１の戻り光よりも、ムラ消しシート１２の戻り光の方が垂直入射光に対して戻り光を多く発生させる形状の方が好ましい。
【０１０３】
また、サンプル４５において、延在方向Ｌ3，Ｌ4とムラ消しシート１１の長手方向Ｌxとの成す角が±４５度（すなわち、延在方向Ｌ3，Ｌ4は配列方向Ｌ1，Ｌ2と完全に平行）のときよりも、延在方向Ｌ3，Ｌ4とムラ消しシート１１の長手方向Ｌxとの成す角が±５２．５度や±３５度のときの方が、ムラ状態が相対的に良好である。すなわち、サンプル４５においては延在方向Ｌ3，Ｌ4と配列方向Ｌ1，Ｌ2が平行から少しずれたときの方が良好なムラ状態になることを示している。
【０１０４】
前述のように、線状光源を用いた場合は、立体構造の延在方向は線状光源と平行に配置したほうがよいとされていたが、本実施の形態によれば点状光源１０に対しては、延在方向Ｌ3，Ｌ4と配列方向Ｌ1，Ｌ2がほぼ平行であれば良好なムラ状態が確保され、なおかつ、平行からわずかにずれた方がむしろ良好なムラ状態が実現できる場合があることが見出された。
【０１０５】
図１６は、点状光源１０の配列方向Ｌ1，Ｌ2とムラ消しシート１１の長手方向Ｌxとの成す角度が±５２．５度である場合の、ムラ消しシート１１，１２の立体構造の延在方向Ｌ3，Ｌ4とムラ消しシート１１の長手方向Ｌxとのなす角度とムラ状態とを示したものである。図１６からは、点状光源１０の配列方向Ｌ1，Ｌ2とムラ消しシート１１，１２の立体構造の延在方向Ｌ3，Ｌ4とのなす角度が１０度以下で、かつ、延在方向Ｌ3と延在方向Ｌ4とのなす角度が６０度以上１２０度以下の範囲内であれば良好なムラ状態を実現できることがわかった。
【０１０６】
図１６の例でいえば、延在方向Ｌ3，Ｌ4とムラ消しシート１１の長手方向Ｌxとのなす角度が±６０度であるときには、配列方向Ｌ1と延在方向Ｌ3とのなす角度が７．５度で、配列方向Ｌ2と延在方向Ｌ4とのなす角度が１０度以下であり、かつ、延在方向Ｌ3と延在方向Ｌ4とのなす角度は１２０度である。このとき、図１６で示した例のすべてにおいて良好なムラ状態が実現している。
【０１０７】
一方で、延在方向Ｌ3，Ｌ4とムラ消しシート１１の長手方向Ｌxとのなす角度が±６２．５度であるときには、配列方向Ｌ1と延在方向Ｌ3とのなす角度、配列方向Ｌ2と延在方向Ｌ4とのなす角度はそれぞれ、１０度である。しかし、延在方向Ｌ3と延在方向Ｌ4とのなす角度が１２５度であり、１２０度を超えている。このとき、図１６で示したサンプル５５、５６においてムラ状態が視認できるほどに悪化した。前述のように、延在方向Ｌ3と延在方向Ｌ4とのなす角度が６０度以上１２０度以下の範囲を超えて、延在方向Ｌ3と延在方向Ｌ4とが互いに平行に近づき、ムラ消しシート１１の長手方向Ｌx、またはムラ消しシート１１短辺方向ＬSのムラが悪化してしまう
【０１０８】
他方、延在方向Ｌ3，Ｌ4とムラ消しシート１１の長手方向Ｌxとのなす角度が±３０度であると、延在方向Ｌ3と延在方向Ｌ4とのなす角度が６０度以上１２０度以下の範囲内である。しかし、延在方向Ｌ3，Ｌ4が配列方向Ｌ1、Ｌ2から離れて過ぎてしまっているため、やはり視認できるレベルにムラが悪化するサンプルが見出された（例えば、サンプル５２、５５など）。
【０１０９】
ところで、延在方向Ｌ3と延在方向Ｌ4とのなす角度が±４５度のケースと、±６０度のケースを比較してみる。延在方向Ｌ3、延在方向Ｌ4とも、配列方向Ｌ1、Ｌ2とのなす角度は７．５度であるが、延在方向Ｌ3と延在方向Ｌ4とのなす角度が±４５度の方が相対的に、±６０度のケースよりも良好なムラ状態を実現している。さらに、延在方向Ｌ3と延在方向Ｌ4とのなす角度±５２．５度だとすべてのサンプルにおいて良好なムラ状態を実現している。このことから、延在方向Ｌ3と延在方向Ｌ4とのなす角度は６０度以上１２０度以下の範囲内であることが好ましいが、７５度以上１０５度以下の範囲内であることがより好ましく、略直角であることがさらに好ましい。これは、ムラ消しシート１１の長手方向Ｌxおよび短辺方向ＬSのむらを改善するために好適であるからである。
【０１１０】
延在方向Ｌ3と延在方向Ｌ4とのなす角度は６０度以上１２０度以下の範囲内であるが、延在方向Ｌ3，Ｌ4と配列方向Ｌ1、Ｌ2とのなす角度が大きく、延在方向Ｌ3，Ｌ4が配列方向Ｌ1、Ｌ2に対して平行でなくなってしまうと、ムラ状態が悪化した。
【０１１１】
また、延在方向Ｌ3，Ｌ4とムラ消しシート１１の長手方向Ｌxとのなす角度の絶対値は対称である必要は無い。例えば、延在方向Ｌ3とムラ消しシート１１の長手方向Ｌxのなす角度が＋６２．５度、延在方向Ｌ4とムラ消しシート１１の長手方向Ｌxとのなす角度が−４２．５度の場合には、請求項２に示した範囲に適応している。このとき、図１６で示した例のすべてにおいて良好なムラ状態が実現している。
【０１１２】
図１７は、点状光源１０の配列方向Ｌ1、Ｌ2とムラ消しシート１１の長手方向Ｌxとの成す角度が±６０度である場合の、ムラ消しシート１１，１２の立体構造の延在方向Ｌ3，Ｌ4とムラ消しシート１１の長手方向Ｌxとのなす角度とムラ状態を示したものである。図１７からは、点状光源１０の配列方向Ｌ1、Ｌ2とムラ消しシート１１，１２の立体構造の延在方向Ｌ3，Ｌ4とのなす角度が１０度以下で、かつ、延在方向Ｌ3と延在方向Ｌ4のなす角度が６０度以上１２０度以下の範囲であれば良好なムラ状態を実現できることがわかった。
【０１１３】
例えば、図１７において、延在方向Ｌ3，Ｌ4とムラ消しシート１１の長手方向Ｌxとのなす角度が±５０度であると、図１７で示したすべてのサンプル６０〜６８において良好なムラ状態であった。しかし、延在方向Ｌ3，Ｌ4とムラ消しシート１１の長手方向Ｌxとのなす角度が±７０度の場合には、サンプル６０〜６５においてムラが視認できるほどに悪化した。図１７から、以上の２例では点状光源１０と、ムラ消しシート１１，１２との角度はふたつとも１０度であるが、延在方向Ｌ3と延在方向Ｌ4とのなす角度によってムラ状態が変化していることがわかった。
【０１１４】
また、サンプル６４、６５から、点状光源１０の配列方向Ｌ1、Ｌ2とムラ消しシート１１，１２の立体構造の延在方向Ｌ3，Ｌ4とが互いに平行なとき（延在方向Ｌ3，Ｌ4とムラ消しシート１１の長手方向Ｌxとのなす角度が±６０度であるとき）よりも、平行からずれたとき（サンプル６４においては±５０度、サンプル６５においては±３０度）の方が良好なムラ状態が実現する場合があることがわかった。
【０１１５】
図１６、図１７から、点状光源１０の配列方向Ｌ1、Ｌ2とムラ消しシート１１の長辺方向ＬLとのなす角度はサンプル１〜４９に示した±４５度に限定されることなく、点状光源１０の配列のマトリックスにより適宜自由に設定してよい。
【０１１６】
前述のように、点状光源１０の配列は、照明装置１およびそれを搭載した表示装置のサイズにより微妙に異なってくる。また、これらの点状光源１０の配列は、点状光源１０の発光を部分的に制御して表示画面の暗い部分では不要な発光を抑える機能を付与する際の、点状光源１０の回路上のブロック数の決め方によっても異なってくる。
【０１１７】
また、特に図示しないが、例えば、配列方向Ｌ1、Ｌ2とムラ消しシート１１の長辺方向ＬLとのなす角度が±３０度の場合は、対称性の点から結果は図１７と同じになる。すなわち、配列方向Ｌ1、Ｌ2とムラ消しシート１１の長辺方向ＬLとのなす角度は４５度以下であってもよい。
【０１１８】
図２３は、拡散板１〜８を用い、その拡散板の全光線透過率と、点状光源１０上に、ムラ消しシート１１、ムラ消しシート１２、拡散板、プリズムシート１４および反射型偏光分離素子を点状光源１０側から順に配置すると共に、点状光源１０の背面に反射シート１５を配置したときの輝度および輝度ムラの計測結果と、判定とを表すものである。図２３から、輝度ムラ・色むらの観点からは拡散板１〜７（透過率で６０〜８５％）が適していることが分かった。さらに、輝度の観点からは、拡散板４〜７（透過率で７６〜８５％）に優位性があることがわかった。
【０１１９】
［適用例］
次に、上記実施の形態の照明装置１を表示装置に適用した場合について説明する。なお、以下では、照明装置１のうち図１に例示した構成を備えたものを表示装置に適用した場合について説明するが、それ以外の構成を有するものを表示装置に適用することはもちろん可能である。
【０１２０】
図２４は、本適用例にかかる表示装置２の断面構成を表したものである。この表示装置２は、表示パネル２０と、プリズムシート１４を表示パネル２０側に向けて配置された照明装置１とを備えており、表示パネル２０の表面が観察者（図示せず）側に向けられている。
【０１２１】
表示パネル２０は、図示しないが、観察側の透明基板と照明装置１側の透明基板との間に液晶層を有する積層構造となっている。具体的には、観察側から順に、偏光板、透明基板、カラーフィルタ、透明電極、配向膜、液晶層、配向膜、透明画素電極、透明基板および偏光板を有している。
【０１２２】
偏光板は、光学シャッタの一種であり、ある一定の振動方向の光（偏光）のみを通過させる。これら偏光板はそれぞれ、偏光軸が互いに９０度異なるように配置されており、これにより照明装置１からの射出光が、液晶層を介して透過し、あるいは遮断されるようになっている。透明基板は、可視光に対して透明な基板、例えば板ガラスからなる。なお、照明装置１側の透明基板には、透明画素電極に電気的に接続された駆動素子としてのＴＦＴ（Thin Film Transistor；薄膜トランジスタ）および配線などを含むアクティブ型の駆動回路が形成されている。カラーフィルタは、照明装置１からの射出光を例えば、ＲＧＢの三原色にそれぞれ色分離するためのカラーフィルタを配列して構成されている。透明電極は、例えばＩＴＯ（Indium Tin Oxide；酸化インジウムスズ）からなり、共通の対向電極として機能する。配向膜は、例えばポリイミドなどの高分子材料からなり、液晶に対して配向処理を行う。液晶層は、例えば、ＶＡ（Vertical Alignment）モード、ＴＮ（Twisted Nematic）モードまたはＳＴＮ（Super Twisted Nematic）モードの液晶からなり、駆動回路からの印加電圧により、照明装置１からの射出光を画素ごとに透過または遮断する機能を有する。透明画素電極は、例えばＩＴＯからなり、画素ごとの電極として機能する。
【０１２３】
次に、表示装置２における作用について説明する。照明装置１内の各点状光源１０から射出された光は所望の正面輝度、面内輝度分布および視野角などを有する光に調整されたのち、表示パネル２０の裏面を照明する。表示パネル２０の裏面を照明した光は、表示パネル２０で変調され、画像光として表示パネル２０の表面から観察者側に射出される。
【０１２４】
ところで、表示装置２では、照明装置１内のムラ消しシート１１，１２において式（１）〜（５）が満たされているので、表示パネル２０の裏面を照明する照明光の輝度むらおよび色むらが小さくなっている。これにより、表示品質の高い表示装置２を提供することができる。
【０１２５】
なお、図２５に示したように、表示装置２において、ムラ消しシート１２および拡散部材１３の代わりに、ムラ消しシート１２と拡散部材１３とを互いに一体に形成したムラ消しシート１８をムラ消しシート１１の上面に設けたものを照明装置として用いてもよい。
【０１２６】
以上、実施の形態、変形例および適用例を挙げて本発明を説明したが、本発明は実施の形態等に限定されるものではなく、種々の変形が可能である。
【０１２７】
例えば、上記実施の形態等では、照明装置１および表示装置２において、照明装置１に含まれる各種光学シートとして、ムラ消しシート１１，１２、拡散部材１３、プリズムシート１４を挙げていたが、必要に応じて、それ以外の光学シートを照明装置１に含ませたり、取り除いたりしてもよい。
【符号の説明】
【０１２８】
１…照明装置、２…表示装置、１０…点状光源、１１，１２，１６，１７，１８…ムラ消しシート、１１Ａ，１２Ａ，１４Ａ，１７Ａ…凸部、１１Ｒ，１２Ｒ…頂部、１１Ｓ，１２Ｓ…傾斜面、１１x…長辺、１１y…短辺、１３…拡散部材、１４…プリズムシート、１５…反射シート、１６…可撓性フィルム、１７…ムラ消し部、１９，２１…接合部、２０…表示パネル、２２…支持体、Ｐ１，Ｐ２，Ｐ３，Ｐ４…ピッチ、Ｌ1，Ｌ2…配列方向、Ｌ3，Ｌ4…延在方向、ＬL…長辺方向、ＬS…短辺方向。
【図１】
2011175102.tif 000003
【図２】
2011175102.tif 000004
【図３】
2011175102.tif 000005
【図４】
2011175102.tif 000006
【図５】
2011175102.tif 000007
【図６】
2011175102.tif 000008
【図７】
2011175102.tif 000009
【図８】
2011175102.tif 000010
【図９】
2011175102.tif 000011
【図１０】
2011175102.tif 000012
【図１１】
2011175102.tif 000013
【図１２】
2011175102.tif 000014
【図１３】
2011175102.tif 000015
【図１４】
2011175102.tif 000016
【図１５】
2011175102.tif 000017
【図１６】
2011175102.tif 000018
【図１７】
2011175102.tif 000019
【図１８】
2011175102.tif 000020
【図１９】
2011175102.tif 000021
【図２０】
2011175102.tif 000022
【図２１】
2011175102.tif 000023
【図２２】
2011175102.tif 000024
【図２３】
2011175102.tif 000025
【図２４】
2011175102.tif 000026
【図２５】
2011175102.tif 000027